(57)【要約】【課題】ばね部にかかる応力を分散することができ、接点部の接触圧を低下させる。【解決手段】本明細書によって開示される雌端子１０は、底壁２１を有する角筒部２０と、角筒部２０の内部に収容されたばね部３０とを備えた雌端子１０であって、ばね部３０は、底壁２１の前縁２１Ｆから片持ち状をなして後方に折り返された一対の折り返し部３１と、一対の折り返し部３１の後端部３１Ｒ同士を連結した連結部３２と、一対の折り返し部３１とは独立した配置で連結部３２に設けられた接点部３３とを備えて構成されている。【選択図】図１
2017004762.tif 000002
【特許請求の範囲】
【請求項１】
底壁を有する角筒部と、
前記角筒部の内部に収容されたばね部とを備えた雌端子であって、
前記ばね部は、前記底壁の前縁から片持ち状をなして後方に折り返された一対の折り返し部と、前記一対の折り返し部の後端部同士を連結した連結部と、前記一対の折り返し部とは独立した配置で前記連結部に設けられた接点部とを備えて構成されている雌端子。
【請求項２】
前記接点部は、前記連結部から突出する片持ち状に設けられている請求項１に記載の雌端子。
【請求項３】
前記接点部は、前記連結部から前方に突出して設けられている請求項２に記載の雌端子。
【請求項４】
前記接点部は、前記一対の折り返し部によって挟まれた領域に設けられている請求項３に記載の雌端子。
【発明の詳細な説明】
【技術分野】
【０００１】
本明細書によって開示される技術は、雌端子に関する。
【背景技術】
【０００２】
従来、底壁部と、底壁部に延設され、上方に折り返されるように折曲された折り返し部と、折り返し部の先端側に延設され、挿入された相手側端子に弾性復帰力で圧接する弾性接触片部とを備えた端子として、例えば下記特許得文献１（特開２００３−５９５６５号公報）に記載のものが知られている。底壁部には折り返し側に突出する過大折曲防止部であるインデントが設けられている。相手側端子が挿入されると、折り返し部がインデントに当接することで折り返し部に過大な応力がかかることを回避できる。
【先行技術文献】
【特許文献】
【０００３】
【特許文献１】特開２００３−５９５６５号公報
【発明の概要】
【発明が解決しようとする課題】
【０００４】
しかしながら、上記の端子では、折り返し部にかかる応力が小さくなったとしても、折り返し部よりも後方の部分（例えば弾性接触片部）にかかる応力が大きくなるため、過大な応力がかかる位置が後方にずれたにすぎず、応力自体を緩和するものではない。このため、弾性接触片部が過大な応力を受けて変形する等のおそれがあった。
【課題を解決するための手段】
【０００５】
本明細書によって開示される雌端子は、底壁を有する角筒部と、前記角筒部の内部に収容されたばね部とを備えた雌端子であって、前記ばね部は、前記底壁の前縁から片持ち状をなして後方に折り返された一対の折り返し部と、前記一対の折り返し部の後端部同士を連結した連結部と、前記一対の折り返し部とは独立した配置で前記連結部に設けられた接点部とを備えて構成されている。
【０００６】
このような構成によると、ばね部が撓んだ際に、一対の折り返し部の各前端部と連結部との３箇所に応力が分散することになるから、応力が１箇所に集中する場合に比べて、最大応力を低減することができる。また、一対の折り返し部と連結部とからなる部分が略門形に構成されるため、一対の折り返し部の間にスリットが形成され、スリットがない場合に比べて、接点部の接触圧を低下させることができる。
【０００７】
本明細書によって開示される雌端子は、以下の構成としてもよい。
前記接点部は、前記連結部から突出する片持ち状に設けられている構成としてもよい。
このような構成によると、接点部が連結部に対して撓みやすくなるため、接点部から連結部に亘って応力を分散することができる。
【０００８】
前記接点部は、前記連結部から前方に突出して設けられている構成としてもよい。
このような構成によると、一対の折り返し部の後端部の位置を接点部よりも後方にすることができるため、一対の折り返し部が長くなる結果、接点部の接触圧が低下することになる。
【０００９】
前記接点部は、前記一対の折り返し部によって挟まれた領域に設けられている構成としてもよい。
このような構成によると、平タブ状の相手側端子が角筒部内に進入する際に、相手側端子の先端が接点部の前縁に突き当たることを回避できる。
【発明の効果】
【００１０】
本明細書によって開示される雌端子によれば、ばね部にかかる応力を分散することができ、接点部の接触圧を低下させることができる。
【図面の簡単な説明】
【００１１】
【図１】実施形態の雌端子を斜め前方から見た斜視図
【図２】雌端子の平面図
【図３】雌端子の正面図
【図４】雌端子の側面図
【図５】図２におけるＡ−Ａ線断面図
【発明を実施するための形態】
【００１２】
＜実施形態＞
実施形態を図１から図５の図面を参照しながら説明する。本実施形態の雌端子１０は、図１に示すように、角筒形状をなす角筒部２０と、角筒部２０の内部に収容されたばね部３０と、電線Ｗの端部に圧着される圧着部４０とを備えて構成されている。電線Ｗは、芯線Ｗ１と、芯線Ｗ１を覆う被覆Ｗ２とからなる。
【００１３】
圧着部４０は、図２に示すように、電線Ｗの芯線Ｗ１に圧着されるワイヤバレル４１と、電線Ｗの被覆Ｗ２に圧着されるインシュレーションバレル４２とを備えて構成されている。
【００１４】
角筒部２０は、図３に示すように、底壁２１と、底壁２１の両側縁から上方に立ち上がる左右一対の側壁２２と、図示右側の側壁２２の上縁２２Ｒから図示左側の側壁２２の上縁２２Ｌに向けて延びる天井壁２３とを備えて構成されている。左右一対の側壁２２は左右方向に対向して平行に配置され、底壁２１と天井壁２３は上下方向に対向して平行に配置されている。
【００１５】
図示左側の側壁２２の上縁２２Ｌには天井壁２３の端縁部２３Ｌを上方から押さえ付ける押さえ片２４が設けられている。押さえ片２４は、図１に示すように、前後方向に所定の間隔を空けて一対設けられている。前側の押さえ片２４は、天井壁２３の前端側に位置し、後側の押さえ片２４は、天井壁２３の後端側に位置している。図２に示すように、天井壁２３の端縁部２３Ｌには、一対の押さえ片２４の間に位置して図示左側の側壁２２の上縁２２Ｌに上方から当接する当接片２５が設けられている。一対の押さえ片２４が天井壁２３を上方から押さえ付けることで天井壁２３の端縁部２３Ｌが下方に押し込まれ、これに伴い当接片２５が図示左側の側壁２２の上縁２２Ｌに上方から当接した状態に保持されることにより、天井壁２３の上方への開きが防止されている。
【００１６】
図２および図３に示すように、天井壁２３の一部を底壁２１側に叩き出すことで左右一対の受け部２６が設けられている。受け部２６は底壁２１側に膨出した半円状をなし、前後方向に長く延びる形態をなしている。角筒部２０内に相手側端子である平タブ状の雄端子（図示せず）が進入すると、雄端子がばね部３０と一対の受け部２６とによって上下方向から挟持された状態となることで、雄端子と雌端子１０が所定の接触圧で導通可能に接続される。
【００１７】
さて、ばね部３０は、図１に示すように、底壁２１の前縁２１Ｆから後方に折り返された左右一対の折り返し部３１と、一対の折り返し部３１の後端部３１Ｒ同士を連結した連結部３２と、一対の折り返し部３１とは独立した配置で連結部３２の前縁から前方に突出して設けられた接点部３３とを備えて構成されている。ここで、独立した配置とは、一対の折り返し部３１と接点部３３が直結されておらず、一対の折り返し部３１と接点部３３とが連結部３２を介して間接的に連結されているという意味である。
【００１８】
折り返し部３１は、図４に示すように、底壁２１の前縁２１Ｆに連結された曲げ部３１Ｆを有し、前後方向において曲げ部３１Ｆから接点部３３の位置までの部分は天井壁２３に近づくように斜め後方に延出されている。また、接点部３３より後方（すなわち折り返し部３１の後端部３１Ｒ）の部分は、接点部３３が雄端子と接続された状態では天井壁２３から離間するようにして後方に延出される。
【００１９】
図３および図５に示すように、折り返し部３１の後端部３１Ｒの下方には、折り返し部３１の過度撓みを防止する過度撓み防止片３４が設けられている。過度撓み防止片３４は、底壁２１に形成された切り起こし孔２７の孔縁部から上方に切り起こされた形態で設けられている。過度撓み防止片３４は、一対の折り返し部３１に対応して一対設けられている。
【００２０】
図３に示すように、一対の折り返し部３１は、底壁２１の両側に離れて配置され、両側壁２２との間に板厚一枚分の隙間を空けて配置されている。このため、一対の折り返し部３１によって挟まれた領域には、スリット３５と接点部３３が配されており、このスリット３５を設けることでばね部３０の接触圧を低下させている。詳細には図１に示すように、接点部３３は、上方に突出するドーム状の突部３３Ａを有しており、接点部３３のうち突部３３Ａのみがスリット３５の上方に突出している一方、その他の部分はスリット３５の内部において前後方向に片持ち状に延出する形態で配されている。なお、接点部３３は、左右方向においてスリット３５の中央に位置している。
【００２１】
折り返し部３１は、曲げ部３１Ｆを撓ませることで上下方向に変位可能とされている。一方、接点部３３は、連結部３２の前端部３２Ｆを撓ませることで上下方向に変位可能とされている。このため、雄端子が角筒部２０内に進入すると、雄端子が接点部３３の突部３３Ａに接触することで接点部３３を下方に変位させるとともに、一対の折り返し部３１を下方に変位させる。したがって、雄端子によってばね部３０にかかる応力は、一対の曲げ部３１Ｆと、連結部３２の前縁部３２Ｆとの３箇所に分散されることになる。したがって、１箇所あたりにかかる応力が低減することになり、弾性領域内でばね部３０を繰り返し変形させることが可能になる。
【００２２】
以上のように本実施形態では、ばね部３０が撓んだ際に、一対の折り返し部３１の各前端部（曲げ部３１Ｆ）と連結部３２との３箇所に応力が分散することになるから、応力が１箇所に集中する場合に比べて、最大応力を低減することができる。また、一対の折り返し部３１と連結部３２とからなる部分が略門形に構成されるため、一対の折り返し部３１の間にスリット３５が形成され、スリット３５がない場合に比べて、接点部３３の接触圧を低下させることができる。
【００２３】
接点部３３は、連結部３２から突出する片持ち状に設けられている構成としてもよい。
このような構成によると、接点部３３が連結部３２に対して撓みやすくなるため、接点部３３から連結部３２に亘って応力を分散することができる。
【００２４】
接点部３３は、連結部３２から前方に突出して設けられている構成としてもよい。
このような構成によると、一対の折り返し部３１の後端部３１Ｒの位置を接点部３３よりも後方にすることができるため、一対の折り返し部３１が長くなる結果、接点部３３の接触圧が低下することになる。
【００２５】
接点部は、一対の折り返し部３１によって挟まれた領域に設けられている構成としてもよい。
このような構成によると、平タブ状の相手側端子が角筒部２０内に進入する際に、相手側端子の先端が接点部３３の前縁に突き当たることを回避できる。
【００２６】
＜他の実施形態＞
本明細書によって開示される技術は上記記述及び図面によって説明した実施形態に限定されるものではなく、例えば次のような種々の態様も含まれる。
（１）上記実施形態では連結部３２の前縁から前方に突出する形態で接点部３３を設けているものの、連結部３２の中央部に接点部を直接設けてもよい。
【００２７】
（２）上記実施形態では連結部３２の前縁から前方に突出する形態で接点部３３を設けているものの、連結部３２の後縁から後方に突出して接点部を設けてもよい。
【００２８】
（３）上記実施形態では接点部３３のうち突部３３Ａ以外の部分が一対の折り返し部３１によって挟まれた領域に配されているものの、当該領域よりも上方に突出して接点部を設けてもよい。
【符号の説明】
【００２９】
１０…雌端子
２０…角筒部
２１…底壁
２１Ｆ…前縁
３０…ばね部
３１…折り返し部
３１Ｒ…後端部
３２…連結部
３３…接点部
【図１】
2017004762.tif 000003
【図２】
2017004762.tif 000004
【図３】
2017004762.tif 000005
【図４】
2017004762.tif 000006
【図５】
2017004762.tif 000007